(57)【特許請求の範囲】
【請求項１】
プリントデータに特色が含まれているか否かを判断し、特色が含まれている場合には、特色の識別情報と基本カラーの濃度信号を示すプリンタデバイス値とが関連付けられている特色テーブルを用いて特色のプリンタデバイス値を設定する特色設定部と、
プリンタデバイス値に基づいて記録媒体上にカラー画像を形成する画像形成部と、
前記画像形成部により記録媒体上に形成された出力画像を測色し、色情報を取得する測色器と、
色情報から基本カラーの濃度信号を示すプリンタデバイス値を算出する色変換部と、を有する画像システムにおける、サンプルページの作成方法であって、
特色の出力画像に対する前記測色器の測色結果を、履歴測色結果として保持するステップと、
サンプルページの作成条件を満たすか否かを判定するステップと、
サンプルページの作成条件を満たすと判定した場合に、特色の前記履歴測色結果に基づいて算出したプリンタデバイス値による第１の色見本画像と、前記特色テーブルから決定した該特色のプリンタデバイス値による第２の色見本画像と、を記録媒体上に形成したサンプルページを作成するステップと、
を有するサンプルページの作成方法。
【請求項２】
前記サンプルページにおいて、
前記第１の色見本画像に対しては、特色の前記履歴測色結果、及び該履歴測色結果と該特色のオリジナル色情報との色差が示されていることを特徴とする請求項１に記載のサンプルページの作成方法。
【請求項３】
前記サンプルページにおいて、
前記第２の色見本画像に対しては、該第２の色見本画像に対する推定の色情報、及び該推定の色情報と特色のオリジナル色情報との色差が示されていることを特徴とする請求項１または請求項２に記載のサンプルページの作成方法。
【請求項４】
前記履歴測色結果として保持するステップでは、更に、測色した出力画像に適用したプリンタデバイス値を保持し、
前記サンプルページにおいて、
前記第１の色見本画像に対して前記保持したプリンタデバイス値を示し、
前記第２の色見本画像に対しては、前記第２の色見本画像に適用したプリンタデバイス値を示すことを特徴とする請求項１〜請求項３のいずれか１つに記載のサンプルページの作成方法。
【請求項５】
前記色変換部は、色情報に基づいてプリンタデバイス値を算出する際に用いるルックアップテーブルを備え、
前記履歴測色結果として保持するステップを実行してから、前記サンプルページを作成するステップを実行する前に、前記ルックアップテーブルの更新を行うステップを有し、
前記サンプルページを作成するステップでは、前記色変換部は更新したルックアップテーブルを用いて、前記第１の色見本画像のプリンタデバイス値を決定することを特徴とする請求項１〜請求項４のいずれか１つに記載のサンプルページの作成方法。
【請求項６】
前記履歴測色結果として保持するステップを実行してから、前記サンプルページを作成するステップを実行する前に、
前記履歴測色結果を再現するための、プリンタデバイス値を異ならせた複数のパッチ画像を出力し、出力したパッチ画像の測色結果から該プリンタデバイス値と色情報との対応関係を取得するステップを有し、
前記サンプルページを作成するステップでは、前記色変換部は、取得した前記対応関係から、前記第１の色見本画像のプリンタデバイス値を決定することを特徴とする請求項１〜請求項４のいずれか１つに記載のサンプルページの作成方法。
【請求項７】
前記サンプルページの作成条件は、（１）所定の印刷枚数を超える毎、（２）前記特色のオリジナル色情報と前記特色の出力画像の色差が所定値を超えた場合、（３）前記履歴測色結果と前記特色の出力画像の色差が所定値を超えた場合、の少なくとも何れか一つであることを特徴とする請求項１〜請求項６のいずれか１つに記載のサンプルページの作成方法。
【請求項８】
特色の出力が含まれる１のプリントジョブを実行する場合において、
前記サンプルページの作成条件は、更に、同一のプリントジョブを対象とするものであり、
前記履歴測色結果は、該プリントジョブにおける最初の特色の出力画像に対して測色したものであることを特徴とする請求項７に記載のサンプルページの作成方法。
【請求項９】
前記履歴測色結果として保持するステップでは、更に、プリントの印刷設定、及びプリント時の周囲温湿度の少なくともいずれか一方の出力条件を保持し、
前記サンプルページにおいて、
前記第１の色見本画像に対しては、前記保持した前記出力条件を示すことを特徴とする請求項１〜請求項８のいずれか１つに記載のサンプルページの作成方法。
【請求項１０】
前記特色のオリジナル色情報は、前記画像形成部が記録媒体上に形成するカラー画像で再現できる色域外にあることを特徴とする請求項１〜請求項９のいずれか１つに記載のサンプルページの作成方法。
【請求項１１】
プリントデータに特色が含まれているか否かを判断し、特色が含まれている場合には、特色の識別情報と基本カラーの濃度信号を示すプリンタデバイス値とが関連付けられている特色テーブルを用いて特色のプリンタデバイス値を設定する特色設定部と、
プリンタデバイス値に基づいて記録媒体上にカラー画像を形成する画像形成部と、
前記画像形成部により記録媒体上に形成された出力画像を測色し、色情報を取得する測色器と、
色情報から基本カラーの濃度信号を示すプリンタデバイス値を算出する色変換部と、
を有する画像システムにサンプルページを作成させるプログラムであって、
特色の出力画像に対する前記測色器の測色結果を、履歴測色結果として保持するステップと、
サンプルページの作成条件を満たすか否かを判定するステップと、
サンプルページの作成条件を満たすと判定した場合に、特色の前記履歴測色結果に基づいて算出したプリンタデバイス値による第１の色見本画像と、前記特色テーブルから決定した該特色のプリンタデバイス値による第２の色見本画像と、を記録媒体上に形成したサンプルページを作成するステップと、
をコンピューターに実行させるためのプログラム。
【請求項１２】
前記サンプルページにおいて、
前記第１の色見本画像に対しては、特色の前記履歴測色結果、及び該履歴測色結果と該特色のオリジナル色情報との色差が示されていることを特徴とする請求項１１に記載のプログラム。
【請求項１３】
プリントデータに特色が含まれているか否かを判断し、特色が含まれている場合には、特色の識別情報と基本カラーの濃度信号を示すプリンタデバイス値とが関連付けられている特色テーブルを用いて特色のプリンタデバイス値を設定する特色設定部と、
プリンタデバイス値に基づいて記録媒体上にカラー画像を形成する画像形成部と、
前記画像形成部により記録媒体上に形成された出力画像を測色し、色情報を取得する測色器と、
色情報から基本カラーの濃度信号を示すプリンタデバイス値を算出する色変換部と、
特色の出力画像の測色結果を、履歴測色結果として保持する履歴保持部と、
制御手段と、
を有する画像形成システムであって、
前記制御手段は、サンプルページの作成条件を満たすと判定した場合に、前記履歴保持部に保持した特色の前記履歴測色結果に基づいて前記色変換部が算出したプリンタデバイス値による第１の色見本画像と、前記特色設定部が前記特色テーブルから決定した該特色のプリンタデバイス値による第２の色見本画像とを記録媒体上に形成したサンプルページを前記画像形成部により形成させるよう制御することを特徴とする画像形成システム。
【請求項１４】
前記サンプルページにおいて、
前記第１の色見本画像に対しては、特色の前記履歴測色結果、及び該履歴測色結果と該特色のオリジナル色情報の色差が示されていることを特徴とする請求項１３に記載の画像形成システム。
【請求項１５】
操作表示部を備え、
前記サンプルページには、前記第２の色見本画像とともに、プリンタデバイス値を複数段階で異ならせた複数の色見本画像がプリントされており、
前記複数の色見本画像のそれぞれに示された、プリンタデバイス値あるいは色見本の識別子を、ユーザーが前記操作表示部から入力することで、前記特色の色補正を行うことが可能な補正手段を備えていることを特徴とする請求項１３または請求項１４に記載の画像形成システム。
【発明の詳細な説明】
【技術分野】
【０００１】
本発明は、サンプルページの作成方法、プログラム、画像形成システムに関し、特に、測色部を搭載した画像形成システムにおける、サンプルページの作成方法、プログラム、画像形成システムに関する。
【背景技術】
【０００２】
印刷分野においては、会社のロゴ等の用いられるコーポレートカラーのように正確な色再現性が要求される色が存在する。このような色については、オフセット印刷においては特別に調合された専用のインキを利用することでこのような色を再現している（以下、このような色を「特色（スポットカラー）」と称す）。
【０００３】
一方で、オフセット印刷方式の画像形成装置を用いることが多かった印刷市場において、電子写真方式やインクジェット方式の画像形成装置を用いるケースが増えている。
【０００４】
電子写真方式の画像形成装置では、特色の再現をＣ、Ｍ、Ｙ、Ｋの基本色のトナーの組み合わせで近似させた専用のライブラリ（スポットカラーライブラリ）を利用して印刷を行っている（例えば特許文献１）。
【０００５】
また、電子写真方式の画像形成措置では、このように基本色のトナーの組み合わせで特色を再現しているために、出力結果は機差、機械変動ばらつき等の様々な要因により変動する。そのため、異なる信号強度により異なるトナー量で生成したパッチ画像を形成して、これらの濃度、色情報を手動で測定したり、目視でカラーガイドと比較したりして、スポットカラーライブラリのＣ、Ｍ、Ｙ、Ｋ値（プリンタデバイス値）を編集し、色合わせを行っている。
【０００６】
特色に対しては色再現の安定性が重要であり厳しく管理される。大量印刷を行うバリアブル印刷などでは、大量印刷を開始する前に色合わせをしていても、大量枚数の印刷をしていくうちに色が変わってくるという問題がある。この場合に変化量があるしきい値を超えた場合に特色の再調整を行うことになる。
【０００７】
このときに過去の出力を参照してこれを目標に色調整をすればよいが、そのためには大量印刷された中から特色の印字箇所を抽出する必要があり、再調整に関する判断をするには多くの手間が必要となり、容易ではないという問題があった。
【０００８】
特許文献２は、インクジェット方式の印刷装置において複数のカラーパッチからなるブロックを主走査方向に複数並べて配置したカラーチャートを印刷した後に、測色器を印刷装置に一時的に取り付けて測色を行った後に、各ブロックの測色結果と、基準となるブロックとの色差（ΔＥ）や過去の出力結果に対する色差をそれぞれのカラーパッチの近傍に印字することが開示されている。
【先行技術文献】
【特許文献】
【０００９】
【特許文献１】特開２０１０−２７８４９４号公報
【特許文献２】特開２０１２−２２８８３６号公報
【発明の概要】
【発明が解決しようとする課題】
【００１０】
しかし、引用文献２に記載の印刷装置は、色差を比較することはできるが、厳密な管理が求められる特色に対しては、過去の色に対してどのように変化したのかを、実際の画像を目視で比較することができない。
【００１１】
本発明は、このような課題を達成するために、特色の目視による比較が可能なサンプルページを容易に出力できるサンプルページの作成方法を提供することを目的とするものである。
【課題を解決するための手段】
【００１２】
１．プリントデータに特色が含まれているか否かを判断し、特色が含まれている場合には、特色の識別情報と基本カラーの濃度信号を示すプリンタデバイス値とが関連付けられている特色テーブルを用いて特色のプリンタデバイス値を設定する特色設定部と、
プリンタデバイス値に基づいて記録媒体上にカラー画像を形成する画像形成部と、
前記画像形成部により記録媒体上に形成された出力画像を測色し、色情報を取得する測色器と、
色情報から基本カラーの濃度信号を示すプリンタデバイス値を算出する色変換部と、を有する画像システムにおける、サンプルページの作成方法であって、
特色の出力画像に対する前記測色器の測色結果を、履歴測色結果として保持するステップと、
サンプルページの作成条件を満たすか否かを判定するステップと、
サンプルページの作成条件を満たすと判定した場合に、特色の前記履歴測色結果に基づいて算出したプリンタデバイス値による第１の色見本画像と、前記特色テーブルから決定した該特色のプリンタデバイス値による第２の色見本画像と、を記録媒体上に形成したサンプルページを作成するステップと、
を有するサンプルページの作成方法。
【００１３】
２．前記サンプルページにおいて、
前記第１の色見本画像に対しては、特色の前記履歴測色結果、及び該履歴測色結果と該特色のオリジナル色情報との色差が示されていることを特徴とする前記１に記載のサンプルページの作成方法。
【００１４】
３．前記サンプルページにおいて、
前記第２の色見本画像に対しては、該第２の色見本画像に対する推定の色情報、及び該推定の色情報と特色のオリジナル色情報との色差が示されていることを特徴とする前記１または前記２に記載のサンプルページの作成方法。
【００１５】
４．前記履歴測色結果として保持するステップでは、更に、測色した出力画像に適用したプリンタデバイス値を保持し、
前記サンプルページにおいて、
前記第１の色見本画像に対して前記保持したプリンタデバイス値を示し、
前記第２の色見本画像に対しては、前記第２の色見本画像に適用したプリンタデバイス値を示すことを特徴とする前記１〜前記３のいずれか１つに記載のサンプルページの作成方法。
【００１６】
５．前記色変換部は、色情報に基づいてプリンタデバイス値を算出する際に用いるルックアップテーブルを備え、
前記履歴測色結果として保持するステップを実行してから、前記サンプルページを作成するステップを実行する前に、前記ルックアップテーブルの更新を行うステップを有し、
前記サンプルページを作成するステップでは、前記色変換部は更新したルックアップテーブルを用いて、前記第１の色見本画像のプリンタデバイス値を決定することを特徴とする前記１〜前記４のいずれか１つに記載のサンプルページの作成方法。
【００１７】
６．前記履歴測色結果として保持するステップを実行してから、前記サンプルページを作成するステップを実行する前に、
前記履歴測色結果を再現するための、プリンタデバイス値を異ならせた複数のパッチ画像を出力し、出力したパッチ画像の測色結果から該プリンタデバイス値と色情報との対応関係を取得するステップを有し、
前記サンプルページを作成するステップでは、前記色変換部は、取得した前記対応関係から、前記第１の色見本画像のプリンタデバイス値を決定することを特徴とする前記１〜前記４のいずれか１つに記載のサンプルページの作成方法。
【００１８】
７．前記サンプルページの作成条件は、（１）所定の印刷枚数を超える毎、（２）前記特色のオリジナル色情報と前記特色の出力画像の色差が所定値を超えた場合、（３）前記履歴測色結果と前記特色の出力画像の色差が所定値を超えた場合、の少なくとも何れか一つであることを特徴とする前記１〜前記６のいずれか１つに記載のサンプルページの作成方法。
【００１９】
８．特色の出力が含まれる１のプリントジョブを実行する場合において、
前記サンプルページの作成条件は、更に、同一のプリントジョブを対象とするものであり、
前記履歴測色結果は、該プリントジョブにおける最初の特色の出力画像に対して測色したものであることを特徴とする前記７に記載のサンプルページの作成方法。
【００２０】
９．前記履歴測色結果として保持するステップでは、更に、プリントの印刷設定、及びプリント時の周囲温湿度の少なくともいずれか一方の出力条件を保持し、
前記サンプルページにおいて、
前記第１の色見本画像に対しては、前記保持した前記出力条件を示すことを特徴とする前記１〜前記８のいずれか１つに記載のサンプルページの作成方法。
【００２１】
１０．前記特色のオリジナル色情報は、前記画像形成部が記録媒体上に形成するカラー画像で再現できる色域外にあることを特徴とする前記１〜前記９のいずれか１つに記載のサンプルページの作成方法。
【００２２】
１１．プリントデータに特色が含まれているか否かを判断し、特色が含まれている場合には、特色の識別情報と基本カラーの濃度信号を示すプリンタデバイス値とが関連付けられている特色テーブルを用いて特色のプリンタデバイス値を設定する特色設定部と、
プリンタデバイス値に基づいて記録媒体上にカラー画像を形成する画像形成部と、
前記画像形成部により記録媒体上に形成された出力画像を測色し、色情報を取得する測色器と、
色情報から基本カラーの濃度信号を示すプリンタデバイス値を算出する色変換部と、
を有する画像システムにサンプルページを作成させるプログラムであって、
特色の出力画像に対する前記測色器の測色結果を、履歴測色結果として保持するステップと、
サンプルページの作成条件を満たすか否かを判定するステップと、
サンプルページの作成条件を満たすと判定した場合に、特色の前記履歴測色結果に基づいて算出したプリンタデバイス値による第１の色見本画像と、前記特色テーブルから決定した該特色のプリンタデバイス値による第２の色見本画像と、を記録媒体上に形成したサンプルページを作成するステップと、
をコンピューターに実行させるためのプログラム。
【００２３】
１２．前記サンプルページにおいて、
前記第１の色見本画像に対しては、特色の前記履歴測色結果、及び該履歴測色結果と該特色のオリジナル色情報との色差が示されていることを特徴とする前記１１に記載のプログラム。
【００２４】
１３．プリントデータに特色が含まれているか否かを判断し、特色が含まれている場合には、特色の識別情報と基本カラーの濃度信号を示すプリンタデバイス値とが関連付けられている特色テーブルを用いて特色のプリンタデバイス値を設定する特色設定部と、
プリンタデバイス値に基づいて記録媒体上にカラー画像を形成する画像形成部と、
前記画像形成部により記録媒体上に形成された出力画像を測色し、色情報を取得する測色器と、
色情報から基本カラーの濃度信号を示すプリンタデバイス値を算出する色変換部と、
特色の出力画像の測色結果を、履歴測色結果として保持する履歴保持部と、
制御手段と、
を有する画像形成システムであって、
前記制御手段は、サンプルページの作成条件を満たすと判定した場合に、前記履歴保持部に保持した特色の前記履歴測色結果に基づいて前記色変換部が算出したプリンタデバイス値による第１の色見本画像と、前記特色設定部が前記特色テーブルから決定した該特色のプリンタデバイス値による第２の色見本画像とを記録媒体上に形成したサンプルページを前記画像形成部により形成させるよう制御することを特徴とする画像形成システム。
【００２５】
１４．前記サンプルページにおいて、
前記第１の色見本画像に対しては、特色の前記履歴測色結果、及び該履歴測色結果と該特色のオリジナル色情報の色差が示されていることを特徴とする前記１３に記載の画像形成システム。
【００２６】
１５．操作表示部を備え、
前記サンプルページには、前記第２の色見本画像とともに、プリンタデバイス値を複数段階で異ならせた複数の色見本画像がプリントされており、
前記複数の色見本画像のそれぞれに示された、プリンタデバイス値あるいは色見本の識別子を、ユーザーが前記操作表示部から入力することで、前記特色の色補正を行うことが可能な補正手段を備えていることを特徴とする前記１３または前記１４に記載の画像形成システム。
【発明の効果】
【００２７】
本発明に係るサンプルページの作成方法は、サンプルページの作成条件を満たすと判定した場合に、特色の履歴測色結果に基づいて算出したプリンタデバイス値による第１の色見本画像と、該特色のオリジナル色情報に基づいて算出されたプリンタデバイス値による第２の色見本画像とを記録媒体上に形成したサンプルページを作成することで、特色の色味の変化を容易に目視で比較可能となり、より効果的に特色の色判断を行うことが可能となる。
【図面の簡単な説明】
【００２８】
【図１】本実施形態にかかる画像形成システムＡの概略構成の一例を示す図である。
【図２】画像形成システムＡのハードウェア構成例を示すブロック図である。
【図３】特色テーブルの例である。
【図４】色変換部２４３で用いられるＬＵＴを説明する図である。
【図５Ａ】画像形成システムＡのＣＭＹＫトナーで再現可能な色域と、特色（特色Ｃ）の色との関係を説明する図である。
【図５Ｂ】図５Ａの拡大図である。
【図６】履歴保存処理に関する制御フロー図である。
【図７】履歴レコードの例である。
【図８】サンプルページの作成条件の設定画面の例である。
【図９】特色Ｃのオリジナル色情報Ｓ０、最初の測色値Ｓａに対する色差の関係を説明する図である。
【図１０】制御部２が実行するサンプルページ作成に関する制御フローを示す図である。
【図１１】サンプルページ作成処理のサブルーチンを説明する図である。
【図１２】実際のジョブの実行例を示している。
【図１３】印刷結果の例である。
【図１４】履歴レコードの例である。
【図１５】第１の色見本画像とともに示す履歴レコードの例である。
【図１６】サンプルページの出力例である。
【図１７】第２実施形態において、制御部２が実行するサンプルページ作成に関する制御フローを示す図である。
【図１８】補正に用いる特色再現用チャートの例である。
【図１９】サンプルページの出力例である。
【発明を実施するための形態】
【００２９】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００３０】
＜画像形成システムＡ＞
図１は、実施形態にかかる画像形成システムＡの概略構成の一例を示す図である。また、図２は、画像形成システムＡのハードウェア構成例を示すブロック図である。図３は特色の識別情報と色情報との対応づけを行う特色テーブル（「スポットカラーライブラリ」）の例であり、図４は、色変換の処理に用いるＬＵＴ（ルックアップテーブル）を説明する図である。図５は、本画像形成システムで出力可能な色再現領域（以下、「色域」という）と特色の色を説明する模式図である。
【００３１】
以下、図１〜５を参照して、画像形成システムＡの概略構成について説明する。
【００３２】
図１に示されるとおり、画像形成システムＡは、画像形成装置Ａ１と後処理装置Ａ２から構成される。
【００３３】
画像形成装置Ａ１は、操作部／表示部１、制御部２、画像形成部３、給紙部４、測色部５を有する。
【００３４】
操作部／表示部１はＬＣＤなどの表示部上にタッチセンサーの操作部を重畳して配置したタッチパネルなどで構成され、ユーザーにより画像形成装置Ａ１、後処理装置Ａ２の設定操作を行うことができる。
【００３５】
図２に示すように、画像形成システムＡ全体を制御する制御部２は、ＣＰＵ２１と、メモリー２２と、ＨＤＤ２３、画像処理部２４、通信Ｉ／Ｆ２５で構成される。
【００３６】
ＣＰＵ２１は、プログラムにしたがって上記各部の制御や各種の演算処理を実行するマルチコアのプロセッサ等から構成される制御回路であり、制御部２で実行可能な各機能は、それに対応するプログラムをＣＰＵ２１が実行することにより発揮される。
【００３７】
メモリー２２は、作業領域として一時的にプログラムおよびデータを記憶する高速アクセス可能な主記憶装置である。メモリー２２には、たとえば、ＤＲＡＭ（Ｄｙｍａｍｉｃ
Ｒａｎｄｏｍ  Ａｃｃｅｓｓ  Ｍｅｍｏｒｙ）、ＳＤＲＡＭ（Ｓｙｎｃｈｒｏｎｏｕｓ
Ｄｙｍａｍｉｃ  Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）等が採用される。
【００３８】
ＨＤＤ２３は、オペレーティングシステムを含む各種プログラムや、ＬＵＴ（ルックアップテーブル）等の処理機能に関する各種データを格納する大容量の補助記憶装置である。
【００３９】
画像処理部２４は、ＲＩＰ部２４１、特色設定部２４２、色変換部２４３等を備える。ＲＩＰ部２４１は、ＰＣ等から受信したＰＣＬ、ＰＳ、ＰＤＦなどのＰＤＬで記述された印刷データを、ビットマップデータに展開するＲＩＰ（Ｒａｓｔｅｒ  Ｉｍａｇｅ  Ｐｒｏｃｅｓｓｏｒ）処理を行う。ビットマップデータの各画素の色情報としては、例えばｓＲＧＢ、あるいはＬ＊ａ＊ｂ＊あるいは特色（スポットカラー）の識別情報（ＩＤあるいは特色名）である。
【００４０】
特色の識別情報は標準化されているものもあれば、画像形成装置独自に設定可能なものもある。図３に示す特色テーブルはＨＤＤ２３等に保存されている。特色設定部２４２は、各画素を解析することにより、色情報が特色によって指定されていたことを検出した場合、図３に示す特色テーブルを参照する。図３（ａ）はＬＵＴを説明する図であり、入力の色情報としての特色の信号からＣＭＹＫのプリンタデバイス値に変換する。ここで「プリンタデバイス値」とは画像形成部３の基本カラーに対応したＣＭＹＫの濃度信号であり、デバイス特有の濃度情報である。図３（ｂ）は、そのＬＵＴの具体例である。なお、以下においては、図３（ｂ）に示すような、特色の信号とプリンタデバイス値、あるいは特色の信号と特色のオリジナル色情報（Ｌ＊ａ＊ｂ＊）とを対応づけたＬＵＴを、特に「特色テーブル」と称す。この特色テーブルを用いることで、特色の色名やＩＤ等の識別情報によりプリンタデバイス値等を決定することができる。
【００４１】
特色設定部２４２は、識別情報から特色の種類を特定し、特色テーブルを参照することでその特色の種類に対応した特色の具体的なプリンタデバイス値を対象となる画素に埋め込む。また、このときに特色の用紙に対する配置位置情報（ＸＹ平面の位置座標）を制御部２に引き渡し、制御部２では必要に応じて、位置情報をＨＤＤ２３に記憶させる。
【００４２】
図４は、色変換部２４３で用いられるＬＵＴを説明する図である。図４は、入力の色情報としてのＬ＊ａ＊ｂ＊信号を、出力としてＣＭＹＫの信号に変換するものである。
【００４３】
色変換部２４３は、図４に示すようなＬＵＴを用いることで、各画素の色情報を、画像形成部３の基本カラーに対応したＣＭＹＫの濃度信号（以下、「プリンタデバイス値」という）に変換する。なお、本実施形態においては色情報としてはＬ＊ａ＊ｂ＊を用いた例を説明するが、デバイス非依存色であれば他の形式の色情報を用いてもよい。
【００４４】
通信Ｉ／Ｆ２５は、外部機器（たとえば、パーソナルコンピュータＰＣ）とネットワーク（ＬＡＮ）を介して通信するためのインターフェースであり、イーサネット（登録商標）、トークンリング、ＦＤＤＩ、Ｗｉ−Ｆｉ等の規格が用いられる。また、ＢｌｕｅＴｏｏｔｈ（登録商標）、赤外線通信、ＵＳＢ通信のためのインターフェースが設けられてもよい。
【００４５】
画像形成部３は、電子写真方式により用紙上に画像を形成する。具体的にはＣＭＹＫの基本カラーに対応した各色トナーに対応した露光部、ドラム感光体、現像装置を備える現像ユニットと、現像ユニットで形成されたトナーを重ね合わせる中間転写ベルトと、中間転写ベルト上に形成したカラートナー像を用紙に転写する２次転写ローラ、用紙を搬送する用紙搬送部、用紙に転写されたトナー像を加熱・加圧することでトナー像を用紙に定着させる定着装置、等を備える。
【００４６】
給紙部４は、複数の給紙トレイを備え、各給紙トレイに収納した用紙を、１枚ずつ画像形成部３へ搬送する。
【００４７】
測色部５は、画像形成部３と後処理装置Ａ２との間の搬送経路中（インライン）に設けられ、搬送中の用紙上の画像に対してセンサー５８により測色を可能とする。測色部５は、光源（ランプ）により用紙に対して光を一様に照射し、その反射光を受光レンズを介してライン状のセンサー５８に結像させることで測色を行う。
【００４８】
センサー５８は、例えばＲＧＢの３種類のセンサーで構成され、カラー画像の各部に対する３種類のセンサーからの出力値（ＲＧＢ値）に基づいて色値を測定し、測定情報を出力する。また、センサー５８は、搬送される用紙の幅方向（搬送ローラの軸方向）において十分な長さを備え、用紙の全領域を測色可能としている。
【００４９】
後処理装置Ａ２では、画像形成装置Ａ１から搬送された用紙に対して、ステイプル処理、パンチ処理、製本処理等の各種の後処理を実行する。
【００５０】
＜色域Ｌと特色の色との対応関係＞
図５Ａ、図５Ｂは、画像形成システムＡのＣＭＹＫトナーで色再現可能な色域と、特色の色との関係を説明する図であり、Ｌ＊ａ＊ｂ＊空間をａ＊ｂ＊平面に投影したものである。図５Ｂは、図５Ａの拡大図であり、四角破線Ｋの領域に対応している。
【００５１】
図５Ａ、図５Ｂにおいて領域Ｌ（符号ａ−ｆの６角形で囲まれる領域）は画像形成システムＡのＣＭＹＫトナーで再現可能な色域を示している。符号Ｓ０は特色の一つである特色Ｃ（図３参照）の色を示している。色域Ｌの広狭は主にトナーの色材に依存し、一般的には画像形成部３では、すべてのＬ＊ａ＊ｂ＊空間を再現できるわけではない。実際に彩度が高い特色Ｃの色Ｓ０は色域Ｌの外側（色域外）に位置している。
【００５２】
本実施形態において、特色Ｃの色Ｓ０に対しては、図３（ａ）、（ｂ）に示す特色テーブルを用いて、特色設定部２４２が各画素をＣＭＹＫのプリンタデバイス値に変換することになる。画像形成部３は、大量枚数の印刷をしていくうちに同じプリンタデバイス値であっても用紙上に出力された画像の色が変わってくるという問題があり、この場合、一定の色を出力するために必要に応じて色の再補正処理を行うことになる。この色の再補正処理としては、出力画像をユーザーが目視で色を忠実に再現した色見本と比較することで特色テーブルのプリンタデバイス値を変更したり、異なるプリンタデバイス値で出力した大量のパッチ画像を測色部５で測定することでＬ＊ａ＊ｂ＊とプリンタデバイス値との関係を記述する新たなＬＵＴを作成、更新し、更新したＬＵＴに基づいて特色テーブルのプリンタデバイス値を変更したりすることが含まれる。
図５Ｂに示すように、色域外の特色Ｓ０に対して色の再補正処理を行うと、補正後に出力される画像の色は、色Ｓａ〜Ｓｃに示すように異なる色に設定されてしまう場合がある。
【００５３】
このような色域外にあるような特色Ｓ０の出力画像に対しては、色域内のいずれかの色で出力せざるを得ないということと、この出力した色（例えば色Ｓａ）が変化する（例えばＳｃに）という問題が存在する。
【００５４】
以下においては、色域外の特色がどのような色で出力されており、これがどのように変化したのか（色Ｓａに対応する後述の「第１の色見本」）を対象となる特色の出力（色Ｓｃに対応する後述の「第２の色見本」）と目視で比較可能なように１枚の用紙に出力するサンプルページの作成方法について説明する。
【００５５】
＜第１実施形態の制御フロー＞
図６から図１５に基づいて第１実施形態におけるサンプルページを作成処理について説明する。
【００５６】
まずは、履歴保存処理を説明する。図６は制御部２で処理される制御フローを示す図である。ステップＳ１１で、印刷ジョブの実行指示が入力した場合には、ステップＳ１２で、受信した印刷データに特色が含まれるかを解析し、含まれないのであれば、通常の印刷を実行して終了する（ステップＳ１６）。特色が含まれるのであれば（ステップＳ１２：Ｙｅｓ）、印刷を実行し（ステップＳ１３）、特色設定部２４２が解析した特色の配置位置を参照し、特色の出力画像に対して測色部５により測色を行う（ステップＳ１４）。
【００５７】
ステップＳ１５では履歴を保存する処理を行う。図７は、履歴保存処理で得られた履歴レコードの例である。履歴レコードには、履歴ＩＤ、ジョブ名称、ジョブのページ、履歴を取得した日時、特色識別情報、履歴測色結果（Ｌ＊ａ＊ｂ＊）、特色のオリジナル色情報（図３参照）に対する履歴測色結果の色差、プリンタデバイス値（０〜１００）、出力画像の用紙内のＸＹ座標位置（ｍｍ）、用紙種類、プロセススピード、定着設定温度等の印刷設定、環境情報、等が保存される。
【００５８】
＜サンプルページの作成条件＞
次に、サンプルページの作成条件について説明する。図８は、操作部／表示部１あるいは、ＬＡＮに接続するＰＣのモニター画面に表示されるサンプルページの作成条件の設定画面の例である。同図の８ａ欄はチェックボックスであり、選択された特色がサンプルページの作成対象となる。８ｂ欄、８ｃ欄によりサンプル設定の条件を設定する。
【００５９】
同図に示す例では、特色Ａに設定されている条件（以下、「条件Ａ」という）は、出力枚数１０００枚毎である。最初の特色Ａの出力画像に対して図６に示す履歴保存処理を実行し、以降は、１０００枚毎にサンプルページを出力するものである。例えば、１部1００ページでその表紙にのみ特色Ａが使用されている印刷物を３０部印刷する場合には、１ページ目（表紙）の当該特色の出力画像に対して履歴保存処理を実行し、その後、１０部印刷する毎にサンプルページを出力する。なお、サンプルページの例は、後述する。
【００６０】
特色Ｃに設定されている条件（以下、「条件Ｂ」とする）は、目標値、つまり特色Ｃのオリジナル色情報と特色の出力画像の測色結果の色差が５以上となった場合に、サンプルページを作成するものである。
【００６１】
なお、ここでいう色差とは、下記の式（１）で示されるΔＥ＊ａｂのことである。本稿では、単に色差あるいはΔＥとして記述している。
【００６２】
【数１】
0005907191.tif 000002
【００６３】
特色Ｇに設定されている条件（以下、「条件Ｃ」という）は、初回出力値との色差が３以上となった場合にサンプルページを作成するものである。初回出力値とは、同一ジョブの最初の対象となる特色の出力画像の測色結果のことである。
【００６４】
なお、条件Ａ、条件Ｃについては更に同一の印刷ジョブを対象に限定することも可能である。またにこれらの条件Ａ〜ＣはＡＮＤあるいはＯＲ条件により複数組み合わせて設定してもよい。更に図８のような設定画面にサンプルページ作成ボタンを設け、単純にこれが選択された場合に、条件を満たしたとしてサンプルページを出力するようにしても良い。
【００６５】
図９は、特色Ｃのオリジナル色情報Ｓ０及び最初の測色値Ｓａ、それぞれに対する色差の関係を説明する図である。同図は、図５Ｂに対応する図であり、図５Ｂと共通するアイテムに対しては同一符号を付している。同図で、破線円Δ５は、色Ｓ０を中心とした半径５の円を示しており、破線円Δ３は、色Ｓａを中心として半径３の円を示している。なお、同図においては、説明を容易にするためにＬ＊方向（ａ＊ｂ＊平面に垂直方向）の色差は生じていないものとしている。
【００６６】
同図に示すＺｏｎｅＡ内の色は、オリジナル色情報Ｓ０との色差が５未満で、かつ、最初の測色値Ｓａとの色差が３未満であることから、特色Ｃに対する条件Ｂ、条件Ｃともに満たさないことになる。
【００６７】
ＺｏｎｅＢ内の色は、オリジナル色情報Ｓ０との色差が５未満であるが、最初の測色値Ｓａとの色差が３以上であることから、条件Ｂは満たさないが、条件Ｃを満たすことになる。
【００６８】
ＺｏｎｅＣ内の色は、オリジナル色情報Ｓ０との色差が５以上であり、かつ、最初の測色値Ｓａとの色差が３未満であることから、条件Ｂを満たすことになるが、条件Ｃを満たさない。
【００６９】
また、サンプル印刷レイアウトの設定として、８ｄ欄で過去の出力のシミュレートを、８ｅ欄で出力環境を、８ｆで補正用パッチを、８ｇ欄で変更箇所のハイライト表示を行うか否かの設定がそれぞれ選択可能である。これらの出力例については、後述のサンプルページの実例で説明する。
【００７０】
＜サンプルページの作成＞
図１０は、制御部２が実行するサンプルページ作成に関する制御フローを示す図である。
【００７１】
ステップＳ２１で、印刷ジョブの実行指示が入力した場合には、続くステップＳ２２で受信した印刷ジョブにサンプルページの出力の条件設定がなされているかを判断し、出力の条件設定がなければ通常の印刷を実行して終了する（ステップＳ２６）。出力の条件設定がなされているのであれば（ステップＳ２２：Ｙｅｓ）、出力条件に該当しない間（ステップＳ２４：Ｎｏ）は印刷を継続し（ステップＳ２３）、出力条件に該当した場合に（ステップＳ２４：Ｙｅｓ）、ステップＳ２５のサンプルページ作成処理を実行する。
【００７２】
図１１は、サンプルページ作成処理（ステップＳ２５）のサブルーチンを説明する図である。ステップＳ２５１では、特色の履歴情報を取得する。対象となるレコードは、対象となる特色の識別情報と同一の識別情報のレコードである。
【００７３】
ステップＳ２５２では、過去の出力のシミュレート（出力再現）が必要な設定になっているか否かを判断する。これは必要な設定でない場合（Ｓ２５２：Ｎｏ）は、履歴情報の数値データ等を示したサンプルページを出力して終了する。これは図８の８ｄ欄にチェックがされていない場合に該当する。
【００７４】
図８の８ｄ欄にチェックがされている場合（ステップＳ２５２：Ｙｅｓ）には、ステップＳ２５３に進み、シミュレート用の測定が必要か否かを判断する。これは、例えばＬＵＴの更新が必要な否かにより判断する。例えば、直前にＬＵＴの更新を行ってからのプリント枚数や、温湿度等の環境変化、あるいは濃度確認用のパッチ画像の測色結果の変化から判断することができる。必要であれば（ステップＳ２５３：Ｙｅｓ）、続くＳ２５４〜Ｓ２５６によりＬＵＴの更新を行う。
【００７５】
具体的には、ステップＳ２５４で、測定チャートを出力する。これはＣＭＹＫのプリンタデバイス値の組み合わせからなる数百のカラーパッチからなる測定チャートである。測定チャートは複数のページにわたって出力する。これらのカラーパッチの測定を実施し（ステップＳ２５４）それらの測色結果に基づいて補間計算を行うことにより、数千の色対応関係を求めることで、あらたなＬＵＴを計算し、これをＨＤＤ２３に保存することで、これまでのＬＵＴを更新する。
【００７６】
ステップＳ２５７では、履歴測色結果をシミュレートした「第１の色見本」のプリンタデバイス値の算出を行う。図７に示すような履歴レコードに保存されている履歴測色結果（Ｌ＊ａ＊ｂ＊）と現在のＬＵＴを用いてプリンタデバイス値を算出する（以下においては、「シミュレート用プリンタデバイス値」ともいう）。このプリンタデバイス値は現在の適正なＬＵＴを用いて算出したものであることから、履歴測色結果を高い精度で再現することができる。なお、複数の履歴が保存されている場合には、デフォルト設定としてはすべての履歴測色結果に基づいて複数のシミュレート用プリンタデバイス値を算出している（例えば後述の図１６の例）。しかしこれに限られず、最も古い、あるいは最新のタイムスタンプの履歴測色結果のみを用いるようにしたり、ユーザーの選択により任意の履歴測色結果を用いたりするように設定することも可能である。
【００７７】
ステップＳ２５８では、「第２の色見本」のプリンタデバイス値を特色テーブルを用いて決定する。
【００７８】
ステップＳ２５９では、ステップＳ２５７で算出したシミュレート用プリンタデバイス値と、ステップＳ２５８で決定したプリンタデバイス値それぞれを用いて、第１の色見本画像と第２の色見本の画像を、用紙に配置したサンプル画像を出力する。このときの色見本画像の形状は、会社のロゴに適用する特色であればそのロゴ形状を反映させたものでもよく、また単純な円、四角形状であっても良い。
【００７９】
＜実施例＞
次に具体的な例について図１２から図１６に基づいて説明する。
【００８０】
図１２は、実際のジョブの実行例を示している。１つの印刷ジョブ＃００１は、１万ページのジョブであり、特色として特色Ａが含まれている。制御部２は、３ページ目と、９９９８ページ目において測色の設定がＯＮになっているので、特色位置情報に基づいて、測色部５によって対象となる特色の測色を行うように制御する。
【００８１】
また、図１２においては、参考として特色についてその時点で適用したプリンタデバイス値を示しており、このデータは、履歴として記録する場合にはページＩＤを履歴ＩＤとし、これを測色結果とともに一連の履歴レコードとして記録される。
【００８２】
図１３は、印刷結果の例であり、同図に示す例では、連続して印刷を行ったなかから３枚の用紙を抜き出した例である。１枚目と３枚目については、同図の矢印に対応した位置に特色を用いたロゴマークが印刷されているので、測色部５は、その位置について測色を行い、その測色結果を制御部２に送る。
【００８３】
図１４は、履歴レコードの例である。複数の特色に対してオリジナル色情報と、複数の履歴情報が記録されていることを示している。それぞれの履歴ＩＤに対しては図７のような態様の履歴レコードがひも付けられている。
【００８４】
次に、図１５、図１６によりサンプルページの出力例について説明する。図１５は、履歴レコードから抽出した第１の色見本画像とともに示す履歴情報の一覧であり、図１６は、サンプルページ９の出力例である。同図においては３個の第１の色見本画像９１（９１ａ〜９１ｃ）と、１個の第２の色見本画像９２の出力画像を１枚の用紙に形成している。同図において色見本画像の形状は、図１３に示したロゴマークと同じ形状（円形状）としている。
【００８５】
また、第１の色見本画像９１に対しては、その出力に用いたシミュレート用プリンタデバイス値を示している。なお、このシミュレート用プリンタデバイス値は図１１のＳ２５７で算出されたものである。図１６の履歴欄９６には、出力情報として履歴を取得した日付と、その際の測色結果、及びプリンタデバイス値を示している。なお、第１の色見本画像は、最新のＬＵＴにより算出したシミュレート用プリンタデバイス値を適用しているので、測色結果に記載している色情報を忠実に再現している。
【００８６】
サンプルページの上方には、オリジナル色情報に基づいて算出したプリンタデバイス値を用いて画像形成した第２の色見本画像９２とともに、推定の色情報および、当該色情報とオリジナル色情報との色差を示している。「推定の色情報」とは、直前に対象となる特色に対して行った測色結果を表示するものである。図１６においては、条件Ｂ（オリジナル色情報とのΔＥ≧５）を満たした場合にサンプルページを出力するという設定を満たしたことでサンプルページを出力することになったものであり、この推定の色情報は具体的には、条件Ｂを満たすことになった直前（例えばサンプルページの数枚前）の測色結果を示したものである。なお、直前の測色結果がない場合には、推定の色情報を決定するために、特色の出力画像を形成した用紙を印刷し、これを測色部５で測色し、これを推定の色情報として用いても良い。
【００８７】
以上のように、本実施形態においては、サンプルページの作成条件を満たすと判定した場合に、特色の履歴測色結果に基づいて算出したシミュレート用プリンタデバイス値による第１の色見本画像と、特色テーブルにより決定されたプリンタデバイス値による第２の色見本画像とを記録媒体上に形成したサンプルページを作成することで、特色の色味の変化を容易に目視で比較可能となるので、より効果的に特色の色判断を行うことが可能となる。
【００８８】
またサンプルページにおいては、第１の色見本画像に対してオリジナル色情報との色差やプリンタデバイス値を示すことで、比較判断をする際の補助的な情報として用いることができる。
【００８９】
＜第２実施形態の制御フロー＞
次に第２実施形態について説明する。図１７は、第２実施形態において制御部２が実行するサンプルページ作成に関する制御フローを示す図である。第２実施形態では、シミュレート用の測定を対象となる特色の色周辺に限定して簡易的に行うものである。
【００９０】
同図では、図１１のＳ２５３のＹｅｓの場合以降のフローを示しており、同図に記載しているフロー以外は、図１０、図１１で示した第１実施形態と同様であり説明は省略する。
【００９１】
図１７のステップＳ２６４では、特色再現用のチャートを出力する。図１８は補正に用いる特色再現用チャートの例である。特色再現用チャートの中心ｃ１は、現状のＬＵＴと特色の履歴測色結果により算出したプリンタデバイス値で出力したものである。方向ｄ１〜ｄ６は、Ｌ＊ａ＊ｂ＊空間のａ＊ｂ＊平面上においてＹ、Ｒ、Ｍ、Ｂ、Ｃ、Ｇのそれぞれに対応した方向である。中心ｃ１の周囲にａ＊ｂ＊を少しずつ変化させるようにプリンタデバイス値を異ならせた複数のパッチ画像を配置している。なお、図示は省略しているが、同図に示すような１９個のパッチ群に対してＬ＊方向で明暗を異ならせた他の２組のパッチ群も用紙上に形成している。
【００９２】
ステップＳ２６５ではチャート上に形成されたこれらのパッチの測色を行う。第１の色見本画像のプリンタデバイス値の決定はステップＳ２６６に示すように、履歴測色結果と同じ色（Ｌ＊ａ＊ｂ＊）のパッチがチャート上に存在していればこれに対応するプリンタデバイス値をシミュレート用プリンタデバイス値として決定し、存在していなければ複数のパッチ間の色を補間処理することによりシミュレート用プリンタデバイス値を決定する。
【００９３】
一方で、第２の色見本画像に対しては、ステップＳ２６７で、特色テーブルを用いて、特色のプリンタデバイス値を決定する。
【００９４】
ステップＳ２６８では、Ｓ２６６、Ｓ２６７で算出したそれぞれのプリンタデバイス値を用いてサンプルページの作成を行う。
【００９５】
このように第２実施形態では、特色周辺を中心として色パッチを形成してシミュレート用の測定を行うので、色域全体にわたって色パッチを形成する場合に比べて、ＬＵＴの更新に必要な工数を削減できる。
【００９６】
＜第３実施形態＞
次に第３実施形態について説明する。図１９は、第３実施形態におけるサンプルページ９ｂを示している。同図の例は、図８において、８ｅ欄（出力環境）、８ｆ（補正用パッチ）、８ｇ欄（ハイライト表示）の全てにチェックがされていた場合の出力例である。
【００９７】
サンプルページ９ｂには、第１の色見本画像９３ａ〜９３ｃに対しては、履歴として保持している出力条件を示している。ここでいう出力条件とは、図７に示したように履歴レコードに保存されているプリントの印刷設定、及び周囲温湿度環境のことであり。印刷設定には、用紙種類、プロセススピード、定着設定温度が含まれる。
【００９８】
また、その際にそれ以前の履歴と大きく変化した項目（符号９９ａ、９９ｂ、９９ｃ等）については他の項目とは区別できるようにハイライト表示している。
【００９９】
また、同図においては、第１の色見本画像９３ａ〜９３ｃの周囲には、図１８と同様に、ａ*ｂ*平面においてｄ１〜ｄ６の６方向についてａ＊ｂ＊を少しずつ変化させるように、プリンタデバイス値を異ならせた６個の数のパッチ画像を用紙に形成し、それぞれに番号を付している。ユーザーは、このパッチの中から最も適切と思われる色を選択し、これを指定することで、特色の補正をすることが可能である。例えば、出力情報が９／１である９３ａのパッチよりも方向６（Ｇｒｅｅｎ色方向）に色味を変化させた色が好ましいとユーザーが判断したならば、これに対応する番号であるＡ６を操作部/表示部１に表示した指定画面（不図示）を通じて入力することで、Ａ６の出力に用いたプリンタデバイス値を特色テーブルに反映させる。以降においては、制御部２は、更新された特色テーブルを用いてプリンタデバイス値の決定を行うことになる。
【０１００】
上記、制御部２を動作させるプログラムは、ＵＳＢメモリー、フレキシブルディスク、ＣＤ−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ＲＯＭやＨＤＤ等に転送され記憶される。また、このプログラムは、たとえば、単独のアプリケーションソフトとして提供されてもよいし、画像形成システムＡの一機能としてその装置のソフトウェアに組み込んでもよい。
【０１０１】
また、上記の各機能構成の要素による処理は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の専用のハードウェア回路によっても実現することもできる。この場合には、１つのハードウェアで実行されてもよいし、複数のハードウェアで実行されてもよい。
【符号の説明】
【０１０２】
Ａ  画像形成システム
Ａ１  画像形成装置
Ａ２  後処理装置
１  操作部／表示部１
２  制御部
２４１  ＲＩＰ部
２４２  特色設定部
２４３  色変換部
３  画像形成部
４  給紙部
５  測色部
５８  センサー
９、９ｂ  サンプルページ
【図１】
0005907191.tif 000003
【図２】
0005907191.tif 000004
【図３】
0005907191.tif 000005
【図４】
0005907191.tif 000006
【図５Ａ】
0005907191.tif 000007
【図５Ｂ】
0005907191.tif 000008
【図６】
0005907191.tif 000009
【図７】
0005907191.tif 000010
【図８】
0005907191.tif 000011
【図９】
0005907191.tif 000012
【図１０】
0005907191.tif 000013
【図１１】
0005907191.tif 000014
【図１２】
0005907191.tif 000015
【図１３】
0005907191.tif 000016
【図１４】
0005907191.tif 000017
【図１５】
0005907191.tif 000018
【図１６】
0005907191.tif 000019
【図１７】
0005907191.tif 000020
【図１８】
0005907191.tif 000021
【図１９】
0005907191.tif 000022